(57)【特許請求の範囲】
【請求項１】
受動光通信網を収容する送受信機能部と、複数の送受信機能部を集線する集線機能部と、を備え、複数の受動光通信網を収容する端局装置における帯域割当方法であって、
各送受信機能部が、収容する受動光通信網の各加入者線終端装置から、各加入者線終端装置単位の上り通信の送信要求量の情報を取得する下位側送信要求量取得ステップと、
各送受信機能部が、収容する受動光通信網の各加入者線終端装置単位の上り通信の送信要求量に関する集計量を算出する下位側送信要求量集計ステップと、
各送受信機能部が、前記集線機能部に、収容する受動光通信網の各加入者線終端装置単位の上り通信の送信要求量に関する集計量を、各送受信機能部単位の上り通信の送信要求量として通知する上位側送信要求量通知ステップと、
前記集線機能部が、各送受信機能部から、各送受信機能部単位の上り通信の送信要求量の情報を取得する上位側送信要求量取得ステップと、
前記集線機能部が、各送受信機能部単位の上り通信の送信要求量に基づいて、各送受信機能部単位の上り通信の送信許可量を算出する上位側送信許可量算出ステップと、
前記集線機能部が、各送受信機能部が収容する受動光通信網の全加入者線終端装置から各送受信機能部への上り通信に必要であり、各送受信機能部から前記集線機能部への上り通信で除去される余剰ビットの長さに基づいて、算出された各送受信機能部単位の上り通信の送信許可量を割増するとともに、前記余剰ビットの長さを考慮することなく、各送受信機能部単位の上り通信の送信要求量に基づいて、各送受信機能部単位の上り通信の送信開始時刻を算出する上位側送信許可量追加ステップと、
前記集線機能部が、各送受信機能部に、割増された各送受信機能部単位の上り通信の送信許可量及び算出された各送受信機能部単位の上り通信の送信開始時刻を通知する上位側送信許可量通知ステップと、
各送受信機能部が、前記集線機能部から、割増された各送受信機能部単位の上り通信の送信許可量及び算出された各送受信機能部単位の上り通信の送信開始時刻の情報を取得する上位側送信許可量取得ステップと、
各送受信機能部が、割増された各送受信機能部単位の上り通信の送信許可量、及び、収容する受動光通信網の各加入者線終端装置単位の上り通信の送信要求量に基づき、各加入者線終端装置単位の上り通信の送信許可量を算出するとともに、各加入者線終端装置単位の上り通信の送信開始時刻を算出する下位側送信許可量算出ステップと、
各送受信機能部が、収容する受動光通信網の各加入者線終端装置に、各加入者線終端装置単位の上り通信の送信許可量及び送信開始時刻を通知する下位側送信許可量通知ステップと、
を順に備えることを特徴とする帯域割当方法。
【請求項２】
前記上位側送信許可量追加ステップで、前記集線機能部は、前記余剰ビットの長さを、予め指定された長さに設定する
ことを特徴とする請求項１に記載の帯域割当方法。
【請求項３】
前記上位側送信許可量追加ステップで、前記集線機能部は、前記余剰ビットの長さを、各加入者線終端装置からの上り通信に必要な余剰ビットの長さ、及び、各送受信機能部が収容する受動光通信網の全加入者線終端装置数に基づいて算出する
ことを特徴とする請求項１に記載の帯域割当方法。
【請求項４】
前記集線機能部が、各送受信機能部が収容する受動光通信網の全加入者線終端装置数を、各送受信機能部に対する問合せ後の各送受信機能部からの応答に基づいて取得する加入者線終端装置数取得ステップを、前記上位側送信許可量追加ステップに先立ち備える
ことを特徴とする請求項３に記載の帯域割当方法。
【請求項５】
前記集線機能部が、各送受信機能部が収容する受動光通信網の全加入者線終端装置数を、各送受信機能部からの上り通信の送信元である加入者線終端装置に基づいて取得する加入者線終端装置数取得ステップを、前記上位側送信許可量追加ステップに先立ち備える
ことを特徴とする請求項３に記載の帯域割当方法。
【請求項６】
前記上位側送信許可量追加ステップで、前記集線機能部は、過去の帯域割当周期で割増されず算出された各送受信機能部単位の上り通信の送信許可量と、今回の帯域割当周期で観測された各送受信機能部からの上り通信のトラヒック量と、の差分に基づいて、今回の帯域割当周期で割増された各送受信機能部単位の上り通信の送信許可量を補正する
ことを特徴とする請求項１から５のいずれかに記載の帯域割当方法。
【請求項７】
受動光通信網を収容する送受信機能部と、複数の送受信機能部を集線する集線機能部と、を備え、複数の受動光通信網を収容する端局装置であって、
前記集線機能部は、
各送受信機能部から、各送受信機能部単位の上り通信の送信要求量の情報を取得する上位側送信要求量取得部と、
各送受信機能部単位の上り通信の送信要求量に基づいて、各送受信機能部単位の上り通信の送信許可量を算出する上位側送信許可量算出部と、
各送受信機能部が収容する受動光通信網の全加入者線終端装置から各送受信機能部への上り通信に必要であり、各送受信機能部から前記集線機能部への上り通信で除去される余剰ビットの長さに基づいて、算出された各送受信機能部単位の上り通信の送信許可量を割増するとともに、前記余剰ビットの長さを考慮することなく、各送受信機能部単位の上り通信の送信要求量に基づいて、各送受信機能部単位の上り通信の送信開始時刻を算出する上位側送信許可量追加部と、
各送受信機能部に、割増された各送受信機能部単位の上り通信の送信許可量及び算出された各送受信機能部単位の上り通信の送信開始時刻を通知する上位側送信許可量通知部と、を備え、
各送受信機能部は、
各送受信機能部が収容する受動光通信網の各加入者線終端装置から、各加入者線終端装置単位の上り通信の送信要求量の情報を取得する下位側送信要求量取得部と、
各送受信機能部が収容する受動光通信網の各加入者線終端装置単位の上り通信の送信要求量に関する集計量を算出する下位側送信要求量集計部と、
前記集線機能部に、各送受信機能部が収容する受動光通信網の各加入者線終端装置単位の上り通信の送信要求量に関する集計量を、各送受信機能部単位の上り通信の送信要求量として通知する上位側送信要求量通知部と、
前記集線機能部から、割増された各送受信機能部単位の上り通信の送信許可量及び算出された各送受信機能部単位の上り通信の送信開始時刻の情報を取得する上位側送信許可量取得部と、
割増された各送受信機能部単位の上り通信の送信許可量、及び、各送受信機能部が収容する受動光通信網の各加入者線終端装置単位の上り通信の送信要求量に基づき、各加入者線終端装置単位の上り通信の送信許可量を算出するとともに、各加入者線終端装置単位の上り通信の送信開始時刻を算出する下位側送信許可量算出部と、
各送受信機能部が収容する受動光通信網の各加入者線終端装置に、各加入者線終端装置単位の上り通信の送信許可量及び送信開始時刻を通知する下位側送信許可量通知部と、を備える
ことを特徴とする端局装置。
【請求項８】
前記上位側送信許可量追加部は、前記余剰ビットの長さを、予め指定された長さに設定する
ことを特徴とする請求項７に記載の端局装置。
【請求項９】
前記上位側送信許可量追加部は、前記余剰ビットの長さを、各加入者線終端装置からの上り通信に必要な余剰ビットの長さ、及び、各送受信機能部が収容する受動光通信網の全加入者線終端装置数に基づいて算出する
ことを特徴とする請求項７に記載の端局装置。
【請求項１０】
前記集線機能部は、
各送受信機能部が収容する受動光通信網の全加入者線終端装置数を、各送受信機能部に対する問合せ後の各送受信機能部からの応答に基づいて取得する加入者線終端装置数取得部、をさらに備える
ことを特徴とする請求項９に記載の端局装置。
【請求項１１】
前記集線機能部は、
各送受信機能部が収容する受動光通信網の全加入者線終端装置数を、各送受信機能部からの上り通信の送信元である加入者線終端装置に基づいて取得する加入者線終端装置数取得部、をさらに備える
ことを特徴とする請求項９に記載の端局装置。
【請求項１２】
前記上位側送信許可量追加部は、過去の帯域割当周期で割増されず算出された各送受信機能部単位の上り通信の送信許可量と、今回の帯域割当周期で観測された各送受信機能部からの上り通信のトラヒック量と、の差分に基づいて、今回の帯域割当周期で割増された各送受信機能部単位の上り通信の送信許可量を補正する
ことを特徴とする請求項７から１１のいずれかに記載の端局装置。
【請求項１３】
受動光通信網を収容する送受信機能部と、複数の送受信機能部を集線する集線機能部と、を備え、複数の受動光通信網を収容する端局装置における帯域割当方法であって、
各送受信機能部が、収容する受動光通信網の各加入者線終端装置から、各加入者線終端装置単位の上り通信の送信要求量の情報を取得する下位側送信要求量取得ステップと、
各送受信機能部が、収容する受動光通信網の各加入者線終端装置単位の上り通信の送信要求量に関する集計量を算出する下位側送信要求量集計ステップと、
各送受信機能部が、前記集線機能部に、収容する受動光通信網の各加入者線終端装置単位の上り通信の送信要求量に関する集計量を、各送受信機能部単位の上り通信の送信要求量として通知する上位側送信要求量通知ステップと、
前記集線機能部が、各送受信機能部から、各送受信機能部単位の上り通信の送信要求量の情報を取得する上位側送信要求量取得ステップと、
前記集線機能部が、各送受信機能部単位の上り通信の送信要求量に基づいて、各送受信機能部単位の上り通信の送信許可量を算出する上位側送信許可量算出ステップと、
前記集線機能部が、各送受信機能部が収容する受動光通信網の全加入者線終端装置からの上り通信に必要な余剰ビットの長さに基づいて、算出された各送受信機能部単位の上り通信の送信許可量を割増する上位側送信許可量追加ステップと、
前記集線機能部が、各送受信機能部に、割増された各送受信機能部単位の上り通信の送信許可量を通知する上位側送信許可量通知ステップと、
各送受信機能部が、前記集線機能部から、割増された各送受信機能部単位の上り通信の送信許可量の情報を取得する上位側送信許可量取得ステップと、
各送受信機能部が、割増された各送受信機能部単位の上り通信の送信許可量、及び、収容する受動光通信網の各加入者線終端装置単位の上り通信の送信要求量に基づき、各加入者線終端装置単位の上り通信の送信許可量を算出する下位側送信許可量算出ステップと、
各送受信機能部が、収容する受動光通信網の各加入者線終端装置に、各加入者線終端装置単位の上り通信の送信許可量を通知する下位側送信許可量通知ステップと、
を順に備え、
前記上位側送信許可量追加ステップで、前記集線機能部は、各送受信機能部が収容する受動光通信網の全加入者線終端装置からの上り通信に必要な余剰ビットの長さを、予め指定された長さに設定する
ことを特徴とする帯域割当方法。
【請求項１４】
受動光通信網を収容する送受信機能部と、複数の送受信機能部を集線する集線機能部と、を備え、複数の受動光通信網を収容する端局装置における帯域割当方法であって、
各送受信機能部が、収容する受動光通信網の各加入者線終端装置から、各加入者線終端装置単位の上り通信の送信要求量の情報を取得する下位側送信要求量取得ステップと、
各送受信機能部が、収容する受動光通信網の各加入者線終端装置単位の上り通信の送信要求量に関する集計量を算出する下位側送信要求量集計ステップと、
各送受信機能部が、前記集線機能部に、収容する受動光通信網の各加入者線終端装置単位の上り通信の送信要求量に関する集計量を、各送受信機能部単位の上り通信の送信要求量として通知する上位側送信要求量通知ステップと、
前記集線機能部が、各送受信機能部から、各送受信機能部単位の上り通信の送信要求量の情報を取得する上位側送信要求量取得ステップと、
前記集線機能部が、各送受信機能部単位の上り通信の送信要求量に基づいて、各送受信機能部単位の上り通信の送信許可量を算出する上位側送信許可量算出ステップと、
前記集線機能部が、各送受信機能部が収容する受動光通信網の全加入者線終端装置からの上り通信に必要な余剰ビットの長さに基づいて、算出された各送受信機能部単位の上り通信の送信許可量を割増する上位側送信許可量追加ステップと、
前記集線機能部が、各送受信機能部に、割増された各送受信機能部単位の上り通信の送信許可量を通知する上位側送信許可量通知ステップと、
各送受信機能部が、前記集線機能部から、割増された各送受信機能部単位の上り通信の送信許可量の情報を取得する上位側送信許可量取得ステップと、
各送受信機能部が、割増された各送受信機能部単位の上り通信の送信許可量、及び、収容する受動光通信網の各加入者線終端装置単位の上り通信の送信要求量に基づき、各加入者線終端装置単位の上り通信の送信許可量を算出する下位側送信許可量算出ステップと、
各送受信機能部が、収容する受動光通信網の各加入者線終端装置に、各加入者線終端装置単位の上り通信の送信許可量を通知する下位側送信許可量通知ステップと、
を順に備え、
前記上位側送信許可量追加ステップで、前記集線機能部は、各送受信機能部が収容する受動光通信網の全加入者線終端装置からの上り通信に必要な余剰ビットの長さを、各加入者線終端装置からの上り通信に必要な余剰ビットの長さ、及び、各送受信機能部が収容する受動光通信網の全加入者線終端装置数に基づいて算出する
ことを特徴とする帯域割当方法。
【請求項１５】
前記集線機能部が、各送受信機能部が収容する受動光通信網の全加入者線終端装置数を、各送受信機能部に対する問合せ後の各送受信機能部からの応答に基づいて取得する加入者線終端装置数取得ステップを、前記上位側送信許可量追加ステップに先立ち備える
ことを特徴とする請求項１４に記載の帯域割当方法。
【請求項１６】
前記集線機能部が、各送受信機能部が収容する受動光通信網の全加入者線終端装置数を、各送受信機能部からの上り通信の送信元である加入者線終端装置に基づいて取得する加入者線終端装置数取得ステップを、前記上位側送信許可量追加ステップに先立ち備える
ことを特徴とする請求項１４に記載の帯域割当方法。
【請求項１７】
前記上位側送信許可量追加ステップで、前記集線機能部は、過去の帯域割当周期で割増されず算出された各送受信機能部単位の上り通信の送信許可量と、今回の帯域割当周期で観測された各送受信機能部からの上り通信のトラヒック量と、の差分に基づいて、今回の帯域割当周期で割増された各送受信機能部単位の上り通信の送信許可量を補正する
ことを特徴とする請求項１３から１６のいずれかに記載の帯域割当方法。
【請求項１８】
受動光通信網を収容する送受信機能部と、複数の送受信機能部を集線する集線機能部と、を備え、複数の受動光通信網を収容する端局装置であって、
前記集線機能部は、
各送受信機能部から、各送受信機能部単位の上り通信の送信要求量の情報を取得する上位側送信要求量取得部と、
各送受信機能部単位の上り通信の送信要求量に基づいて、各送受信機能部単位の上り通信の送信許可量を算出する上位側送信許可量算出部と、
各送受信機能部が収容する受動光通信網の全加入者線終端装置からの上り通信に必要な余剰ビットの長さに基づいて、算出された各送受信機能部単位の上り通信の送信許可量を割増する上位側送信許可量追加部と、
各送受信機能部に、割増された各送受信機能部単位の上り通信の送信許可量を通知する上位側送信許可量通知部と、を備え、
各送受信機能部は、
各送受信機能部が収容する受動光通信網の各加入者線終端装置から、各加入者線終端装置単位の上り通信の送信要求量の情報を取得する下位側送信要求量取得部と、
各送受信機能部が収容する受動光通信網の各加入者線終端装置単位の上り通信の送信要求量に関する集計量を算出する下位側送信要求量集計部と、
前記集線機能部に、各送受信機能部が収容する受動光通信網の各加入者線終端装置単位の上り通信の送信要求量に関する集計量を、各送受信機能部単位の上り通信の送信要求量として通知する上位側送信要求量通知部と、
前記集線機能部から、割増された各送受信機能部単位の上り通信の送信許可量の情報を取得する上位側送信許可量取得部と、
割増された各送受信機能部単位の上り通信の送信許可量、及び、各送受信機能部が収容する受動光通信網の各加入者線終端装置単位の上り通信の送信要求量に基づき、各加入者線終端装置単位の上り通信の送信許可量を算出する下位側送信許可量算出部と、
各送受信機能部が収容する受動光通信網の各加入者線終端装置に、各加入者線終端装置単位の上り通信の送信許可量を通知する下位側送信許可量通知部と、を備え、
前記上位側送信許可量追加部は、各送受信機能部が収容する受動光通信網の全加入者線終端装置からの上り通信に必要な余剰ビットの長さを、予め指定された長さに設定する
ことを特徴とする端局装置。
【請求項１９】
受動光通信網を収容する送受信機能部と、複数の送受信機能部を集線する集線機能部と、を備え、複数の受動光通信網を収容する端局装置であって、
前記集線機能部は、
各送受信機能部から、各送受信機能部単位の上り通信の送信要求量の情報を取得する上位側送信要求量取得部と、
各送受信機能部単位の上り通信の送信要求量に基づいて、各送受信機能部単位の上り通信の送信許可量を算出する上位側送信許可量算出部と、
各送受信機能部が収容する受動光通信網の全加入者線終端装置からの上り通信に必要な余剰ビットの長さに基づいて、算出された各送受信機能部単位の上り通信の送信許可量を割増する上位側送信許可量追加部と、
各送受信機能部に、割増された各送受信機能部単位の上り通信の送信許可量を通知する上位側送信許可量通知部と、を備え、
各送受信機能部は、
各送受信機能部が収容する受動光通信網の各加入者線終端装置から、各加入者線終端装置単位の上り通信の送信要求量の情報を取得する下位側送信要求量取得部と、
各送受信機能部が収容する受動光通信網の各加入者線終端装置単位の上り通信の送信要求量に関する集計量を算出する下位側送信要求量集計部と、
前記集線機能部に、各送受信機能部が収容する受動光通信網の各加入者線終端装置単位の上り通信の送信要求量に関する集計量を、各送受信機能部単位の上り通信の送信要求量として通知する上位側送信要求量通知部と、
前記集線機能部から、割増された各送受信機能部単位の上り通信の送信許可量の情報を取得する上位側送信許可量取得部と、
割増された各送受信機能部単位の上り通信の送信許可量、及び、各送受信機能部が収容する受動光通信網の各加入者線終端装置単位の上り通信の送信要求量に基づき、各加入者線終端装置単位の上り通信の送信許可量を算出する下位側送信許可量算出部と、
各送受信機能部が収容する受動光通信網の各加入者線終端装置に、各加入者線終端装置単位の上り通信の送信許可量を通知する下位側送信許可量通知部と、を備え、
前記上位側送信許可量追加部は、各送受信機能部が収容する受動光通信網の全加入者線終端装置からの上り通信に必要な余剰ビットの長さを、各加入者線終端装置からの上り通信に必要な余剰ビットの長さ、及び、各送受信機能部が収容する受動光通信網の全加入者線終端装置数に基づいて算出する
ことを特徴とする端局装置。
【請求項２０】
前記集線機能部は、
各送受信機能部が収容する受動光通信網の全加入者線終端装置数を、各送受信機能部に対する問合せ後の各送受信機能部からの応答に基づいて取得する加入者線終端装置数取得部、をさらに備える
ことを特徴とする請求項１９に記載の端局装置。
【請求項２１】
前記集線機能部は、
各送受信機能部が収容する受動光通信網の全加入者線終端装置数を、各送受信機能部からの上り通信の送信元である加入者線終端装置に基づいて取得する加入者線終端装置数取得部、をさらに備える
ことを特徴とする請求項１９に記載の端局装置。
【請求項２２】
前記上位側送信許可量追加部は、過去の帯域割当周期で割増されず算出された各送受信機能部単位の上り通信の送信許可量と、今回の帯域割当周期で観測された各送受信機能部からの上り通信のトラヒック量と、の差分に基づいて、今回の帯域割当周期で割増された各送受信機能部単位の上り通信の送信許可量を補正する
ことを特徴とする請求項１８から２１のいずれかに記載の端局装置。
【発明の詳細な説明】
【技術分野】
【０００１】
本発明は、複数の受動光通信網を収容するシステムに関する。
【背景技術】
【０００２】
端局装置及び複数の加入者線終端装置が接続された受動光通信網では、端局装置及び各加入者線終端装置の間の通信は、時分割多重方式により多重化されている。このような受動光通信網では、１台の端局装置を各加入者線終端装置を利用する各ユーザで共用することから、低コストにサービスを提供することが可能である。
【０００３】
また、１台の端局装置で複数の受動光通信網を収容し、さらに、その端局装置内に集線機能部を設けることにより、コアネットワーク側の接続ポート数を削減し、配線の簡略化やサービスの更なる低コスト化を行う例として、非特許文献１の構成を説明する。
【０００４】
複数の受動光通信網を収容するシステムの構成を図１に示す。端局装置１は、集線機能部２及び複数の送受信機能部３（１）、・・・、３（ｉ）、・・・から構成される。各送受信機能部３（ｉ）は、各受動光通信網を収容し、複数の加入者線終端装置４（ｉ１）、・・・、４（ｉｊ）、・・・と接続される。以下では、各送受信機能部を送受信機能部３（ｉ）で一般化し、各加入者線終端装置を加入者線終端装置４（ｉｊ）で一般化する。
【０００５】
従来技術の帯域割当方法を示すタイムチャートを図２に示す。送受信機能部３（ｉ）及び各加入者線終端装置４（ｉｊ）は、Ｐ２ＭＰ（Ｐｏｉｎｔ−ｔｏ−Ｍｕｌｔｉ  Ｐｏｉｎｔ）接続される。そこで、各加入者線終端装置４（ｉｊ）から送受信機能部３（ｉ）への上り通信について、送受信機能部３（ｉ）は、各加入者線終端装置４（ｉｊ）に対して、上り通信の送信時間制御を行っている。具体的には、送信要求通知（ステップＳ１）、送信許可量割り当て手順（ステップＳ７）、送信開始時刻割り当て手順（ステップＳ８）及び送信許可通知（ステップＳ９）が行われる。詳細は、図３で後述する。
【０００６】
また、集線機能部２は、各送受信機能部３（ｉ）から時間的に集中して上りデータを送信されるときには、バッファ容量を増加させる必要がある。しかし、集線機能部２は、各送受信機能部３（ｉ）から時間的に分散して上りデータを送信されるときには、バッファ容量を増加させる必要がない。そこで、各送受信機能部３（ｉ）から集線機能部２への上り通信について、集線機能部２は、各送受信機能部３（ｉ）に対して、上り通信の送信時間制御を行っている。具体的には、送信要求集計手順（ステップＳ２）、送信要求通知（ステップＳ３）、送信許可量計算手順（ステップＳ４）、送信開始時刻計算手順（ステップＳ５）及び送信許可通知（ステップＳ６）が行われる。詳細は、図３で後述する。
【先行技術文献】
【非特許文献】
【０００７】
【非特許文献１】Ｈｉｒｏｔａｋａ  Ｕｊｉｋａｗａ，Ｔａｋｅｓｈｉ  Ｓａｋａｍｏｔｏ，Ｎａｏｔｏ  Ｙｏｓｈｉｍｏｔｏ，ａｎｄ  Ｈｉｓａｙａ  Ｈａｄａｍａ，“Ｍｕｌｔｉｌｅｖｅｌ  Ｄｙｎａｍｉｃ  Ｂａｎｄｗｉｄｔｈ  Ａｌｌｏｃａｔｉｏｎ  ｕｓｉｎｇ  Ｂｕｆｆｅｒ  Ｏｂｓｅｒｖａｔｉｏｎ  ｆｏｒ  Ｃｏｕｓｉｎ−Ｆａｉｒ  Ａｃｃｅｓｓ  Ｓｙｓｔｅｍｓ，”Ａｓｉａ−Ｐａｃｉｆｉｃ  Ｃｏｎｆｅｒｅｎｃｅ  ｏｎ  Ｃｏｍｍｕｎｉｃａｔｉｏｎｓ（ＡＰＣＣ），ｐｐ．２１８−２２３，２０１１．
【発明の概要】
【発明が解決しようとする課題】
【０００８】
ここで、各加入者線終端装置４（ｉｊ）から送受信機能部３（ｉ）への上り通信には必要であり、各送受信機能部３（ｉ）から集線機能部２への上り通信には不要である、余剰ビットが存在する。なお、余剰ビットは、オーバヘッドを指す。
【０００９】
よって、送受信機能部３（ｉ）が、集線機能部２から通知された送信許可量を、各加入者線終端装置４（ｉｊ）にそのまま分配するときには、以下の課題が生ずる。
【００１０】
各加入者線終端装置４（ｉｊ）は、送受信機能部３（ｉ）に、送受信機能部３（ｉ）から分配された送信許可量の範囲内で、実データ及び余剰ビットを送信する。各送受信機能部３（ｉ）は、集線機能部２に、実データ及び余剰ビットをそのまま送信する。
【００１１】
ここで、無効データである余剰ビットを除く有効データである実データは、集線機能部２から通知された送信許可量より容量が小さい。つまり、各送受信機能部３（ｉ）から集線機能部２への上り通信では、有効データが含まれず無効データが含まれる時間が存在することとなり、最大転送レートがリンク速度よりも低くなる。
【００１２】
そこで、前記課題を解決するために、本発明は、集線機能部が各送受信機能部に帯域割当を行い、送受信機能部が各加入者線終端装置に帯域割当を行う、連携帯域割当を適用するにあたり、各送受信機能部から集線機能部への上り通信において、最大転送レートをリンク速度と同等とすることを目的とする。
【課題を解決するための手段】
【００１３】
上記目的を達成するために、集線機能部は、各送受信機能部単位の上り通信の送信要求量に基づいて、各送受信機能部単位の上り通信の送信許可量を算出するのみならず、各送受信機能部が収容する受動光通信網の全加入者線終端装置からの上り通信に必要な余剰ビットの長さに基づいて、各送受信機能部単位の上り通信の送信許可量を割増することとした。なお、集線機能部は、各送受信機能部が収容する受動光通信網の全加入者線終端装置からの上り通信に必要な余剰ビットの長さを、見込みで推測する。
【００１４】
具体的に、本発明は、受動光通信網を収容する送受信機能部と、複数の送受信機能部を集線する集線機能部と、を備え、複数の受動光通信網を収容する端局装置における帯域割当方法であって、各送受信機能部が、収容する受動光通信網の各加入者線終端装置から、各加入者線終端装置単位の上り通信の送信要求量の情報を取得する下位側送信要求量取得ステップと、各送受信機能部が、収容する受動光通信網の各加入者線終端装置単位の上り通信の送信要求量に関する集計量を算出する下位側送信要求量集計ステップと、各送受信機能部が、前記集線機能部に、収容する受動光通信網の各加入者線終端装置単位の上り通信の送信要求量に関する集計量を、各送受信機能部単位の上り通信の送信要求量として通知する上位側送信要求量通知ステップと、前記集線機能部が、各送受信機能部から、各送受信機能部単位の上り通信の送信要求量の情報を取得する上位側送信要求量取得ステップと、前記集線機能部が、各送受信機能部単位の上り通信の送信要求量に基づいて、各送受信機能部単位の上り通信の送信許可量を算出する上位側送信許可量算出ステップと、前記集線機能部が、各送受信機能部が収容する受動光通信網の全加入者線終端装置からの上り通信に必要な余剰ビットの長さに基づいて、算出された各送受信機能部単位の上り通信の送信許可量を割増する上位側送信許可量追加ステップと、前記集線機能部が、各送受信機能部に、割増された各送受信機能部単位の上り通信の送信許可量を通知する上位側送信許可量通知ステップと、各送受信機能部が、前記集線機能部から、割増された各送受信機能部単位の上り通信の送信許可量の情報を取得する上位側送信許可量取得ステップと、各送受信機能部が、割増された各送受信機能部単位の上り通信の送信許可量、及び、収容する受動光通信網の各加入者線終端装置単位の上り通信の送信要求量に基づき、各加入者線終端装置単位の上り通信の送信許可量を算出する下位側送信許可量算出ステップと、各送受信機能部が、収容する受動光通信網の各加入者線終端装置に、各加入者線終端装置単位の上り通信の送信許可量を通知する下位側送信許可量通知ステップと、を順に備えることを特徴とする帯域割当方法である。
【００１５】
また、本発明は、受動光通信網を収容する送受信機能部と、複数の送受信機能部を集線する集線機能部と、を備え、複数の受動光通信網を収容する端局装置であって、前記集線機能部は、各送受信機能部から、各送受信機能部単位の上り通信の送信要求量の情報を取得する上位側送信要求量取得部と、各送受信機能部単位の上り通信の送信要求量に基づいて、各送受信機能部単位の上り通信の送信許可量を算出する上位側送信許可量算出部と、各送受信機能部が収容する受動光通信網の全加入者線終端装置からの上り通信に必要な余剰ビットの長さに基づいて、算出された各送受信機能部単位の上り通信の送信許可量を割増する上位側送信許可量追加部と、各送受信機能部に、割増された各送受信機能部単位の上り通信の送信許可量を通知する上位側送信許可量通知部と、を備え、各送受信機能部は、各送受信機能部が収容する受動光通信網の各加入者線終端装置から、各加入者線終端装置単位の上り通信の送信要求量の情報を取得する下位側送信要求量取得部と、各送受信機能部が収容する受動光通信網の各加入者線終端装置単位の上り通信の送信要求量に関する集計量を算出する下位側送信要求量集計部と、前記集線機能部に、各送受信機能部が収容する受動光通信網の各加入者線終端装置単位の上り通信の送信要求量に関する集計量を、各送受信機能部単位の上り通信の送信要求量として通知する上位側送信要求量通知部と、前記集線機能部から、割増された各送受信機能部単位の上り通信の送信許可量の情報を取得する上位側送信許可量取得部と、割増された各送受信機能部単位の上り通信の送信許可量、及び、各送受信機能部が収容する受動光通信網の各加入者線終端装置単位の上り通信の送信要求量に基づき、各加入者線終端装置単位の上り通信の送信許可量を算出する下位側送信許可量算出部と、各送受信機能部が収容する受動光通信網の各加入者線終端装置に、各加入者線終端装置単位の上り通信の送信許可量を通知する下位側送信許可量通知部と、を備えることを特徴とする端局装置である。
【００１６】
この構成によれば、各加入者線終端装置から送受信機能部への上り通信では、集線機能部から上乗せされ送受信機能部から分配された送信許可量の範囲内で、実データ及び余剰ビットの送信が許可される。そして、各送受信機能部から集線機能部への上り通信では、集線機能部から上乗せされた送信許可量の範囲内で、実データの送信が許可される。
【００１７】
ここで、ある送受信機能部に上乗せされた送信許可量分だけ、当該送受信機能部に許可された送信許可量は、他の送受信機能部に許可された送信許可量と、時間的に重複する。つまり、当該送受信機能部から集線機能部への上り通信では、集線機能部から上乗せされない送信許可量の範囲内で、実質的に実データの送信が許可される。もしも、当該送受信機能部から集線機能部への上り通信が、他の送受信機能部から集線機能部への上り通信と、時間的に重複しても、集線機能部は、バッファを確保すればよい。
【００１８】
よって、集線機能部が各送受信機能部に帯域割当を行い、送受信機能部が各加入者線終端装置に帯域割当を行う、連携帯域割当を適用するにあたり、各送受信機能部から集線機能部への上り通信において、最大転送レートをリンク速度と同等とすることができる。
【００１９】
また、本発明は、前記上位側送信許可量追加ステップで、前記集線機能部は、各送受信機能部が収容する受動光通信網の全加入者線終端装置からの上り通信に必要な余剰ビットの長さを、予め指定された長さに設定することを特徴とする帯域割当方法である。
【００２０】
また、本発明は、前記上位側送信許可量追加部は、各送受信機能部が収容する受動光通信網の全加入者線終端装置からの上り通信に必要な余剰ビットの長さを、予め指定された長さに設定することを特徴とする端局装置である。
【００２１】
この構成によれば、集線機能部は、予め指定された長さに基づいて、各送受信機能部が収容する受動光通信網の全加入者線終端装置からの上り通信に必要な余剰ビットの長さを、見込みで推測することができる。
【００２２】
また、本発明は、前記上位側送信許可量追加ステップで、前記集線機能部は、各送受信機能部が収容する受動光通信網の全加入者線終端装置からの上り通信に必要な余剰ビットの長さを、各加入者線終端装置からの上り通信に必要な余剰ビットの長さ、及び、各送受信機能部が収容する受動光通信網の全加入者線終端装置数に基づいて算出することを特徴とする帯域割当方法である。
【００２３】
また、本発明は、前記上位側送信許可量追加部は、各送受信機能部が収容する受動光通信網の全加入者線終端装置からの上り通信に必要な余剰ビットの長さを、各加入者線終端装置からの上り通信に必要な余剰ビットの長さ、及び、各送受信機能部が収容する受動光通信網の全加入者線終端装置数に基づいて算出することを特徴とする端局装置である。
【００２４】
この構成によれば、集線機能部は、各加入者線終端装置からの上り通信に必要な余剰ビットの長さ、及び、各送受信機能部が収容する受動光通信網の全加入者線終端装置数に基づいて、各送受信機能部が収容する受動光通信網の全加入者線終端装置からの上り通信に必要な余剰ビットの長さを、見込みで推測することができる。
【００２５】
また、本発明は、前記集線機能部が、各送受信機能部が収容する受動光通信網の全加入者線終端装置数を、各送受信機能部に対する問合せ後の各送受信機能部からの応答に基づいて取得する加入者線終端装置数取得ステップを、前記上位側送信許可量追加ステップに先立ち備えることを特徴とする帯域割当方法である。
【００２６】
また、本発明は、前記集線機能部は、各送受信機能部が収容する受動光通信網の全加入者線終端装置数を、各送受信機能部に対する問合せ後の各送受信機能部からの応答に基づいて取得する加入者線終端装置数取得部、をさらに備えることを特徴とする端局装置である。
【００２７】
この構成によれば、集線機能部は、各送受信機能部に対する問合せ後の各送受信機能部からの応答に基づいて、各送受信機能部が収容する受動光通信網の全加入者線終端装置数を取得することができるため、各送受信機能部が収容する受動光通信網の全加入者線終端装置からの上り通信に必要な余剰ビットの長さを、見込みで推測することができる。
【００２８】
また、本発明は、前記集線機能部が、各送受信機能部が収容する受動光通信網の全加入者線終端装置数を、各送受信機能部からの上り通信の送信元である加入者線終端装置に基づいて取得する加入者線終端装置数取得ステップを、前記上位側送信許可量追加ステップに先立ち備えることを特徴とする帯域割当方法である。
【００２９】
また、本発明は、前記集線機能部は、各送受信機能部が収容する受動光通信網の全加入者線終端装置数を、各送受信機能部からの上り通信の送信元である加入者線終端装置に基づいて取得する加入者線終端装置数取得部、をさらに備えることを特徴とする端局装置である。
【００３０】
この構成によれば、集線機能部は、各送受信機能部からの上り通信の送信元である加入者線終端装置に基づいて、各送受信機能部が収容する受動光通信網の全加入者線終端装置数を取得することができるため、各送受信機能部が収容する受動光通信網の全加入者線終端装置からの上り通信に必要な余剰ビットの長さを、見込みで推測することができる。
【００３１】
また、本発明は、前記上位側送信許可量追加ステップで、前記集線機能部は、過去の帯域割当周期で割増されず算出された各送受信機能部単位の上り通信の送信許可量と、今回の帯域割当周期で観測された各送受信機能部からの上り通信のトラヒック量と、の差分に基づいて、今回の帯域割当周期で割増された各送受信機能部単位の上り通信の送信許可量を補正することを特徴とする帯域割当方法である。
【００３２】
また、本発明は、前記上位側送信許可量追加部は、過去の帯域割当周期で割増されず算出された各送受信機能部単位の上り通信の送信許可量と、今回の帯域割当周期で観測された各送受信機能部からの上り通信のトラヒック量と、の差分に基づいて、今回の帯域割当周期で割増された各送受信機能部単位の上り通信の送信許可量を補正することを特徴とする端局装置である。
【００３３】
この構成によれば、集線機能部は、現状の上り通信のトラヒック量を観測するため、各送受信機能部が収容する受動光通信網の全加入者線終端装置からの上り通信に必要な余剰ビットの長さを、見込みで推測するのみならず、現状に合わせて推測することができる。
【発明の効果】
【００３４】
本発明は、集線機能部が各送受信機能部に帯域割当を行い、送受信機能部が各加入者線終端装置に帯域割当を行う、連携帯域割当を適用するにあたり、各送受信機能部から集線機能部への上り通信において、最大転送レートをリンク速度と同等とすることができる。
【図面の簡単な説明】
【００３５】
【図１】複数の受動光通信網を収容するシステムの構成を示す図である。
【図２】従来技術の帯域割当方法を示すタイムチャートである。
【図３】実施形態１の帯域割当方法を示すタイムチャートである。
【図４】本発明の集線機能部の構成を示す図である。
【図５】本発明の送受信機能部の構成を示す図である。
【図６】本発明の送信許可量計算手順を示すフローチャートである。
【図７】本発明の送信許可量追加手順を示すフローチャートである。
【図８】実施形態２、３の帯域割当方法を示すタイムチャートである。
【図９】実施形態２、３の追加送信許可量決定手順を示すフローチャートである。
【図１０】実施形態２の接続加入者線終端装置数算出手順を示すタイムチャートである。
【図１１】実施形態３の接続加入者線終端装置数算出手順を示すフローチャートである。
【図１２】実施形態４の帯域割当方法を示すタイムチャートである。
【図１３】実施形態４の上りトラヒック量観測手順を示すフローチャートである。
【図１４】実施形態４の追加送信許可量補正手順を示すフローチャートである。
【発明を実施するための形態】
【００３６】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００３７】
（実施形態１）
実施形態１の帯域割当方法を示すタイムチャートを図３に示す。この一連の動作を周期的に繰り返し、加入者線終端装置毎及び帯域割当周期毎に、割り当てる送信許可量を変化させることにより、各加入者線終端装置に対する帯域割り当てを行う。
【００３８】
本発明の集線機能部及び送受信機能部の構成を図４及び図５に示す。集線機能部２は、送信要求量取得部２１、送信許可量算出部２２、送信許可量追加部２３及び送信許可量通知部２４から構成される。送受信機能部３（ｉ）は、送信要求量取得部３（ｉ）１、送信要求量集計部３（ｉ）２、送信要求量通知部３（ｉ）３、送信許可量取得部３（ｉ）４、送信許可量算出部３（ｉ）５及び送信許可量通知部３（ｉ）６から構成される。
【００３９】
送信要求量取得部３（ｉ）１は、各加入者線終端装置４（ｉｊ）から、各加入者線終端装置４（ｉｊ）単位の上り通信の送信要求量の情報を取得する（ステップＳ１）。送信要求量集計部３（ｉ）２は、各加入者線終端装置４（ｉｊ）単位の上り通信の送信要求量に関する集計量を算出する（ステップＳ２）。なお、各加入者線終端装置４（ｉｊ）単位の上り通信の送信要求量は、記憶保存される。送信要求量通知部３（ｉ）３は、集線機能部２に、各加入者線終端装置４（ｉｊ）単位の上り通信の送信要求量に関する集計量を、送受信機能部３（ｉ）単位の上り通信の送信要求量として通知する（ステップＳ３）。
【００４０】
送信要求量取得部２１は、各送受信機能部３（ｉ）から、各送受信機能部３（ｉ）単位の上り通信の送信要求量の情報を取得する（ステップＳ３）。送信許可量算出部２２は、各送受信機能部３（ｉ）単位の上り通信の送信要求量に基づいて、各送受信機能部３（ｉ）単位の上り通信の送信許可量及び送信開始時刻を算出する（ステップＳ４、Ｓ５）。送信許可量追加部２３は、各送受信機能部３（ｉ）が収容する全加入者線終端装置４（ｉｊ）からの上り通信に必要な余剰ビットの長さに基づいて、各送受信機能部３（ｉ）単位の上り通信の算出された送信許可量を割増する（ステップＳ１０）。送信許可量通知部２４は、各送受信機能部３（ｉ）に、各送受信機能部３（ｉ）単位の上り通信の割増された送信許可量及び算出されたそのままの送信開始時刻を通知する（ステップＳ６）。
【００４１】
実施形態１では、送信許可量追加部２３は、各送受信機能部３（ｉ）が収容する全加入者線終端装置４（ｉｊ）からの上り通信に必要な余剰ビットの長さを、予め指定された長さに設定し、当該予め指定された長さに基づいて、各送受信機能部３（ｉ）単位の上り通信の算出された送信許可量を割増する（ステップＳ１０）。
【００４２】
送信許可量取得部３（ｉ）４は、集線機能部２から、送受信機能部３（ｉ）単位の上り通信の割増された送信許可量及び算出されたそのままの送信開始時刻の情報を取得する（ステップＳ６）。なお、送受信機能部３（ｉ）単位の上り通信の割増された送信許可量及び算出されたそのままの送信開始時刻は、記憶保存される。送信許可量算出部３（ｉ）５は、送受信機能部３（ｉ）単位の上り通信の割増された送信許可量、及び、各加入者線終端装置４（ｉｊ）単位の上り通信の送信要求量に基づき、各加入者線終端装置４（ｉｊ）単位の上り通信の送信許可量を算出した後に（ステップＳ７）、各加入者線終端装置４（ｉｊ）単位の上り通信の送信開始時刻を算出する（ステップＳ８）。送信許可量通知部３（ｉ）６は、各加入者線終端装置４（ｉｊ）に、各加入者線終端装置４（ｉｊ）単位の上り通信の送信許可量及び送信開始時刻を通知する（ステップＳ９）。
【００４３】
各加入者線終端装置４（ｉｊ）から送受信機能部３（ｉ）への上り通信では、各加入者線終端装置４（ｉｊ）は、集線機能部２から上乗せされ送受信機能部３（ｉ）から分配された送信許可量の範囲内で、及び、送受信機能部３（ｉ）から通知された送信開始時刻に基づいて、実データ及び余剰ビットを送信する。各送受信機能部３（ｉ）から集線機能部２への上り通信では、集線機能部２から上乗せされた送信許可量の範囲内で、及び、集線機能部２から通知された送信開始時刻に基づいて、実データを送信する。なお、送受信機能部３（ｉ）は、実データ及び余剰ビットから、実データを抽出する一方、余剰ビットを除去するため、バッファ（図５に不図示）を備える必要がある。
【００４４】
本発明の送信許可量計算手順を示すフローチャートを図６に示す。送信許可量計算手順は、送信許可量算出部２２がステップＳ４で行う手順である。
【００４５】
コアネットワーク側の接続ポートの通信速度又は予め指定された通信速度に基づいて決定された、集線機能部２における送信許可可能総量Ｃを取得する（ステップＳ４１）。送信要求量取得部２１から、各送受信機能部３（ｉ）単位の送信要求量Ｒｉを取得する（ステップＳ４２）。各送受信機能部３（ｉ）単位の送信要求量Ｒｉの合算として、Ｒ＝ΣＲｉを算出する（ステップＳ４３）。各送受信機能部３（ｉ）単位の追加割り当て前の送信許可量として、Ｇｉ（追加前）＝Ｃ×Ｒｉ／Ｒを算出する（ステップＳ４４）。なお、集線機能部２における送信許可可能総量Ｃの分配方法として、各送受信機能部３（ｉ）単位の送信要求量Ｒｉの比率に基づく分配方法でもよく、その他の分配方法でもよい。
【００４６】
本発明の送信許可量追加手順を示すフローチャートを図７に示す。送信許可量追加手順は、送信許可量追加部２３がステップＳ１０で行う手順である。
【００４７】
送信許可量算出部２２から、各送受信機能部３（ｉ）単位の追加割り当て前の送信許可量Ｇｉ（追加前）を取得する（ステップＳ１０１）。各送受信機能部３（ｉ）が収容する全加入者線終端装置４（ｉｊ）からの上り通信に必要な余剰ビットの長さに基づいて決定された、各送受信機能部３（ｉ）単位の追加割り当て量Ａｉを取得する（ステップＳ１０２）。各送受信機能部３（ｉ）単位の追加割り当て後の送信許可量として、Ｇｉ（追加後）＝Ｇｉ（追加前）＋Ａｉを算出する（ステップＳ１０３）。なお、Ｇｉ（追加後）の算出方法として、Ｇｉ（追加前）に所定値を加算してもよく乗算してもよい。
【００４８】
実施形態１では、各送受信機能部３（ｉ）が収容する全加入者線終端装置４（ｉｊ）からの上り通信に必要な余剰ビットの長さを、上記予め指定された長さに設定する。なお、上記予め指定された長さとして、全送受信機能部３（ｉ）一律に指定された長さであってもよく、各送受信機能部３（ｉ）毎に指定された長さであってもよい。
【００４９】
このように、集線機能部２は、各送受信機能部３（ｉ）が収容する全加入者線終端装置４（ｉｊ）からの上り通信に必要な余剰ビットの長さを、見込みで推測する。余剰ビットとして、各加入者線終端装置４（ｉｊ）毎に長さが決定される個別余剰ビットと、上りデータの容量に依存して長さが決定される容量依存余剰ビットと、上りデータのフレーム数に依存して長さが決定されるフレーム数依存余剰ビットと、などがある。余剰ビットは、これらのうち、全てを含んでもよく、少なくともいずれかのみ含んでもよい。
【００５０】
個別余剰ビットとして、各加入者線終端装置４（ｉｊ）での光バースト送信に要する冗長ビットと、送受信機能部３（ｉ）での光バースト受信に要する同期ビットと、各加入者線終端装置４（ｉｊ）単位の上り通信の送信要求量の情報と、などがある。個別余剰ビットは、これらのうち、全てを含んでもよく、少なくともいずれかのみ含んでもよい。容量依存余剰ビットとして、上り通信の誤り訂正に要するパリティビットなどがある。フレーム数依存余剰ビットとして、上り通信の暗号化に要する追加ビットなどがある。
【００５１】
このように、集線機能部２は、各送受信機能部３（ｉ）単位の上り通信の送信要求量Ｒｉに基づいて、各送受信機能部３（ｉ）単位の上り通信の送信許可量ＧｉをＧｉ（追加前）として算出するのみならず、各送受信機能部３（ｉ）が収容する全加入者線終端装置４（ｉｊ）からの上り通信に必要な余剰ビットの長さに基づいて、各送受信機能部３（ｉ）単位の上り通信の送信許可量ＧｉをＧｉ（追加後）へと割増する。
【００５２】
すると、各加入者線終端装置４（ｉｊ）から送受信機能部３（ｉ）への上り通信では、集線機能部２から上乗せされ送受信機能部３（ｉ）から分配された送信許可量の範囲内で、実データ及び余剰ビットの送信が許可される。そして、各送受信機能部３（ｉ）から集線機能部２への上り通信では、集線機能部２から上乗せされた送信許可量Ｇｉ（追加後）の範囲内で、実データの送信が許可される。なお、送受信機能部３（ｉ）は、実データ及び余剰ビットから、実データを抽出し、余剰ビットを除去する。
【００５３】
ここで、送信許可量Ｇｉとしては、算出後に上乗せされたものを用いるが、送信開始時刻としては、算出されたそのままのものを用いる。すると、ある送受信機能部３（ｉ）に上乗せされた送信許可量Ａｉ分だけ、当該送受信機能部３（ｉ）に許可された送信許可量Ｇｉ（追加後）は、他の送受信機能部３（ｊ）に許可された送信許可量Ｇｊ（追加後）と、時間的に重複する。つまり、当該送受信機能部３（ｉ）から集線機能部２への上り通信では、集線機能部２から上乗せされない送信許可量Ｇｉ（追加前）の範囲内で、実質的に実データの送信が許可される。もしも、当該送受信機能部３（ｉ）から集線機能部２への上り通信が、他の送受信機能部３（ｊ）から集線機能部２への上り通信と、時間的に重複しても、集線機能部２は、バッファを確保すればよい。
【００５４】
よって、集線機能部２が各送受信機能部３（ｉ）に帯域割当を行い、送受信機能部３（ｉ）が各加入者線終端装置４（ｉｊ）に帯域割当を行う、連携帯域割当を適用するにあたり、各送受信機能部３（ｉ）から集線機能部２への上り通信において、最大転送レートをリンク速度と同等とすることができる。
【００５５】
なお、送信開始時刻計算手順（ステップＳ５）及び送信許可量追加手順（ステップＳ１０）は、送信許可量計算手順（ステップＳ４）の後に行われることを条件として、前後を問わず行われてもよい。送信開始時刻及び送信許可量Ｇｉ（追加後）は、いずれも送信許可量Ｇｉ（追加前）に基づいて計算されるためである。
【００５６】
（実施形態２、３）
実施形態２、３の帯域割当方法を示すタイムチャートを図８に示す。実施形態２、３では、実施形態１と比較して、追加送信許可量決定手順（ステップＳ１１）が導入される。ここで、送信許可量追加部２３は、各送受信機能部３（ｉ）が収容する全加入者線終端装置４（ｉｊ）からの上り通信に必要な余剰ビットの長さを、各加入者線終端装置４（ｉｊ）からの上り通信に必要な余剰ビットの長さ、及び、各送受信機能部３（ｉ）が収容する全加入者線終端装置４（ｉｊ）の台数に基づいて算出する。
【００５７】
実施形態２、３の追加送信許可量決定手順を示すフローチャートを図９に示す。追加送信許可量決定手順は、送信許可量追加部２３がステップＳ１１で行う手順である。
【００５８】
各送受信機能部３（ｉ）単位の接続加入者線終端装置数Ｎｉを取得する（ステップＳ１１１）。なお、各送受信機能部３（ｉ）単位の接続加入者線終端装置数Ｎｉは、装置種別を問わない台数でもよく、装置種別を問うた台数でもよい。また、各送受信機能部３（ｉ）単位の接続加入者線終端装置数Ｎｉは、実施形態２、３で異なる方法で取得される。
【００５９】
各加入者線終端装置４（ｉｊ）単位の余剰ビットＯＨを取得する（ステップＳ１１２）。なお、各加入者線終端装置４（ｉｊ）単位の余剰ビットＯＨは、装置種別を問わないビット数でもよく、装置種別を問うたビット数でもよい。
【００６０】
各送受信機能部３（ｉ）単位の追加割り当て量として、Ａｉ＝Ｎｉ×ＯＨを算出する（ステップＳ１１３）。つまり、各送受信機能部３（ｉ）単位の追加割り当て量Ａｉは、各送受信機能部３（ｉ）単位の接続加入者線終端装置数Ｎｉと、ある程度比例関係にある。
【００６１】
ステップＳ１０３で加算される各送受信機能部３（ｉ）単位の追加割り当て量Ａｉとして、実施形態１では、ステップＳ１０２で取得されたものを採用するが、実施形態２、３では、ステップＳ１１３で算出されたものを採用する。
【００６２】
実施形態２の接続加入者線終端装置数算出手順を示すタイムチャートを図１０に示す。ここで、集線機能部２は、加入者線終端装置数取得部（図４に不図示）において、各送受信機能部３（ｉ）が収容する全加入者線終端装置４（ｉｊ）の台数を、各送受信機能部３（ｉ）に対する問合せ後の各送受信機能部３（ｉ）からの応答に基づいて取得する。
【００６３】
集線機能部２は、各送受信機能部３（ｉ）に、接続加入者線終端装置数要求を送信する（ステップＳＳ１）。各送受信機能部３（ｉ）は、各送受信機能部３（ｉ）単位の接続加入者線終端装置数Ｎｉを取得し（ステップＳＳ２）、集線機能部２に、接続加入者線終端装置数通知を送信する（ステップＳＳ３）。集線機能部２は、各送受信機能部３（ｉ）単位の接続加入者線終端装置数Ｎｉを保存する（ステップＳＳ４）。なお、実施形態２の接続加入者線終端装置数算出手順は、各加入者線終端装置４（ｉｊ）の追加時又は削除時に行ってもよく、所定周期で定期的に行ってもよく、帯域割当周期毎に行ってもよい。
【００６４】
実施形態３の接続加入者線終端装置数算出手順を示すフローチャートを図１１に示す。ここで、集線機能部２は、加入者線終端装置数取得部（図４に不図示）において、各送受信機能部３（ｉ）が収容する全加入者線終端装置４（ｉｊ）の台数を、各送受信機能部３（ｉ）からの上り通信の送信元である加入者線終端装置４（ｉｊ）に基づいて取得する。
【００６５】
各送受信機能部３（ｉ）単位の接続加入者線終端装置４（ｉｊ）のテーブルＯｉを初期化する（ステップＳＳ１１）。接続加入者線終端装置数の算出期間を開始するため（ステップＳＳ１２においてＮＯ）、ステップＳＳ１３に進む。
【００６６】
いずれの送受信機能部３からもデータを受信しないときには（ステップＳＳ１３においてＮＯ）、ステップＳＳ１２に戻る。いずれかの送受信機能部３からデータを受信したときには（ステップＳＳ１３においてＹＥＳ）、ステップＳＳ１４に進む。
【００６７】
データ送信元の送受信機能部３（ｉ）の情報を取得し（ステップＳＳ１４）、ＭＡＣアドレスなどのヘッダ情報から、データ送信元の加入者線終端装置４（ｉｊ）の情報を取得する（ステップＳＳ１５）。テーブルＯｉに、当該加入者線終端装置４（ｉｊ）のエントリが存在していなければ（ステップＳＳ１６においてＮＯ）、テーブルＯｉに、当該加入者線終端装置４（ｉｊ）のエントリを追加し（ステップＳＳ１７）、ステップＳＳ１２に戻る。テーブルＯｉに、当該加入者線終端装置４（ｉｊ）のエントリが存在しているならば（ステップＳＳ１６においてＹＥＳ）、ステップＳＳ１２に戻る。
【００６８】
接続加入者線終端装置数の算出期間を終了するとき（ステップＳＳ１２においてＹＥＳ）、各送受信機能部３（ｉ）単位の接続加入者線終端装置数Ｎｉとして、テーブルＯｉの加入者線終端装置４（ｉｊ）のエントリ数をコピーする（ステップＳＳ１８）。
【００６９】
（実施形態４）
実施形態４の帯域割当方法を示すタイムチャートを図１２に示す。実施形態４では、実施形態１と比較して、追加送信許可量補正手順（ステップＳ１２）が導入される。ここで、送信許可量追加部２３は、過去の帯域割当周期で割増されず算出された各送受信機能部３（ｉ）単位の上り通信の送信許可量と、今回の帯域割当周期で観測された各送受信機能部３（ｉ）からの上り通信のトラヒック量と、の差分に基づいて、今回の帯域割当周期で割増された各送受信機能部３（ｉ）単位の上り通信の送信許可量を補正する。
【００７０】
実施形態４の上りトラヒック量観測手順を示すフローチャートを図１３に示す。上りトラヒック量観測手順は、上りトラヒック観測部（図４に不図示）が行う手順である。
【００７１】
各送受信機能部３（ｉ）単位の今周期のデータ送信量Ｔｔｉを初期化する（ステップＳＳ２１）。今回分の帯域割当周期を開始するため（ステップＳＳ２２においてＮＯ）、ステップＳＳ２３に進む。いずれの送受信機能部３からもデータを受信しないときには（ステップＳＳ２３においてＮＯ）、ステップＳＳ２２に戻る。いずれかの送受信機能部３からデータを受信したときには（ステップＳＳ２３においてＹＥＳ）、データ送信元の送受信機能部３（ｉ）に対応する、今周期のデータ送信量Ｔｔｉに、受信データ量を加算し（ステップＳＳ２４）、ステップＳＳ２２に戻る。今回分の帯域割当周期を終了するとき（ステップＳ２２においてＹＥＳ）、各送受信機能部３（ｉ）単位の今周期のデータ送信量Ｔｉとして、現段階のデータ送信量Ｔｔｉをコピーする（ステップＳＳ２５）。
【００７２】
実施形態４の追加送信許可量補正手順を示すフローチャートを図１４に示す。追加送信許可量補正手順は、送信許可量追加部２３がステップＳ１２で行う手順である。
【００７３】
上りトラヒック観測部（図４に不図示）から、各送受信機能部３（ｉ）単位の今周期のデータ送信量Ｔｉを取得する（ステップＳ１２１）。送信許可量算出部２２から、各送受信機能部３（ｉ）単位の前周期の追加割り当て前の送信許可量Ｇｉ（追加前）を取得する（ステップＳ１２２）。各送受信機能部３（ｉ）単位の追加割り当て量として、ステップＳ１０２で取得されたもの又はステップＳ１１３で算出されたものに対して、（Ｇｉ（追加前）−Ｔｉ）を加算したものを採用する（ステップＳ１２３）。
【００７４】
（Ｇｉ（追加前）−Ｔｉ）の加算理由を説明する。各送受信機能部３（ｉ）単位の前周期の追加割り当て後の送信許可量は、Ｇｉ（追加後）＝Ｇｉ（追加前）＋Ａｉである。各送受信機能部３（ｉ）単位の今周期のデータ送信量は、上記の通りＴｉである。ここで、見込みで推測された余剰ビットの長さＡｉは、実際に付加された余剰ビット（Ｂｉとする）の長さと等しいことが望ましい。Ｔｉ＝Ｇｉ（追加前）であるとき、Ｂｉ＝Ａｉであるため、余剰ビットの前周期の見込み推測は、最適であったことになる。
【００７５】
しかし、Ｔｉ＞Ｇｉ（追加前）であるとき、Ｂｉ＜Ａｉであるため、余剰ビットの前周期の見込み推測は、過大であったことになる。そこで、このときには、余剰ビットの今周期の見込み推測として、（Ｇｉ（追加前）−Ｔｉ）（＜０）の加算補正を行う。一方で、Ｔｉ＜Ｇｉ（追加前）であるとき、Ｂｉ＞Ａｉであるため、余剰ビットの前周期の見込み推測は、過少であったことになる。そこで、このときには、余剰ビットの今周期の見込み推測として、（Ｇｉ（追加前）−Ｔｉ）（＞０）の加算補正を行う。
【００７６】
このように、集線機能部２は、現状の上り通信のトラヒック量を観測するため、各送受信機能部３（ｉ）が収容する全加入者線終端装置４（ｉｊ）からの上り通信に必要な余剰ビットの長さを、見込みで推測するのみならず、現状に合わせて推測することができる。
【産業上の利用可能性】
【００７７】
本発明に係る帯域割当方法及び端局装置は、複数の受動光通信網を収容するシステムにおいて、帯域の無駄の発生を防止する目的で適用することができる。
【符号の説明】
【００７８】
１：端局装置
２：集線機能部
３（ｉ）：送受信機能部
４（ｉｊ）：加入者線終端装置
２１：送信要求量取得部
２２：送信許可量算出部
２３：送信許可量追加部
２４：送信許可量通知部
３（ｉ）１：送信要求量取得部
３（ｉ）２：送信要求量集計部
３（ｉ）３：送信要求量通知部
３（ｉ）４：送信許可量取得部
３（ｉ）５：送信許可量算出部
３（ｉ）６：送信許可量通知部
【要約】
【課題】集線機能部が各送受信機能部に帯域割当を行い、送受信機能部が各加入者線終端装置に帯域割当を行う、連携帯域割当を適用するにあたり、各送受信機能部から集線機能部への上り通信において、最大転送レートをリンク速度と同等とする。
【解決手段】集線機能部２は、各送受信機能部３（ｉ）単位の上り通信の送信要求量に基づいて、各送受信機能部３（ｉ）単位の上り通信の送信許可量を算出するのみならず、各送受信機能部３（ｉ）が収容する全加入者線終端装置４（ｉｊ）からの上り通信に必要な余剰ビットの長さに基づいて、各送受信機能部３（ｉ）単位の上り通信の送信許可量を割増する。なお、集線機能部２は、各送受信機能部３（ｉ）が収容する全加入者線終端装置４（ｉｊ）からの上り通信に必要な余剰ビットの長さを、見込みで推測する。
【選択図】図３【図１】
0005548289.tif 000002
【図２】
0005548289.tif 000003
【図３】
0005548289.tif 000004
【図４】
0005548289.tif 000005
【図５】
0005548289.tif 000006
【図６】
0005548289.tif 000007
【図７】
0005548289.tif 000008
【図８】
0005548289.tif 000009
【図９】
0005548289.tif 000010
【図１０】
0005548289.tif 000011
【図１１】
0005548289.tif 000012
【図１２】
0005548289.tif 000013
【図１３】
0005548289.tif 000014
【図１４】
0005548289.tif 000015